(57)【要約】【課題】従来通りに印刷された印刷物等どの様な印刷物にも実施でき、誌面の情報掲載量を減少させずに誌面上の特定領域に対応した情報を再生可能な情報再生装置の提供を課題とする。【解決手段】印刷物を載置される載置部１２と、  一方は載置部１２表面に位置されるタッチペン１５、他方は載置部１２を小領域に区切ったそれぞれに位置される信号送信部１６からなる小領域特定手段と、  本ＢＫのページ表面の記事が位置する小領域１２ｂと対応した情報が、該小領域１２ｂ位置と対応させて予め記憶されるＩＣメモリ１７と、  情報を再生可能な再生手段１８，１９と、  小領域特定手段１５，１６からの信号で小領域１２ｂを特定し、ＩＣメモリ１７に記憶されている該小領域１２ｂに対応された情報をＩＣメモリ１７から読出し該情報を再生手段１８，１９に再生させる制御手段とからなる。【選択図】  図１
2008009847.tif 000002
【特許請求の範囲】
【請求項１】
筐体表面に設けられ印刷物を載置される載置部と、
一方は利用者によって載置部表面に位置され、他方は載置部を小領域に区切った筐体内部に複数設置され、相互に信号送受信可能な小領域特定手段と、
載置部に載置される印刷物のページ表面に印刷された記事が位置する小領域と対応された情報を、印刷物のページ表面位置と対応させて予め記憶される記憶手段と、
記憶手段に記憶されている情報に基づき該情報を再生可能な再生手段と、
記憶手段および小領域特定手段と電気的に接続され、小領域特定手段から入力する信号によって載置部の小領域を特定すると共に、特定した小領域に対応して記憶手段に記憶されている情報を記憶手段から読出し該情報を再生手段に再生させる制御手段とからなり、
相互に信号送受信可能な小領域特定手段は、筐体表面近傍において載置部に載置された印刷物を介し位置された小領域上の一方と該小領域内に設置された他方とが信号送受信することで載置部の小領域を特定する信号を制御手段へ出力可能なことを特徴とする情報再生装置。
【請求項２】
前記小領域特定手段は、載置部を小領域に区切った筐体内部に設置され信号出力可能な複数の信号発信手段と、信号発信手段が発信した信号を該信号発信手段が設置されている筐体表面近傍において載置部に載置された印刷物を介して受信可能な信号受信手段とからなり、
前記制御手段は、信号発信手段の設置された位置を識別可能な情報を含む信号を信号発信手段から発信させると共に、信号受信手段から信号入力可能であり、信号受信手段から入力する信号から信号受信手段が信号発信手段の信号を受信した載置部の小領域を特定する請求項１に記載の情報再生装置。
【請求項３】
前記小領域特定手段は、載置部を小領域に区切った筐体内部に設置され信号受信可能なアンテナ部と、該アンテナ部が設置されている筐体表面近傍において載置部に載置された印刷物を介して信号を発生可能な送信部とからなり、
前記制御手段は、送信部の発信した信号を受領したアンテナ部から信号入力することで、信号入力したアンテナ部の設置されている小領域を特定する請求項１に記載の情報再生装置。
【請求項４】
前記小領域特定手段は、載置部を小領域に区切った筐体内部に設置され微弱電波を発生可能な複数のアンテナ部と、アンテナ部が発生する微弱電波を該アンテナ部が設置されている筐体表面近傍において載置部に載置された印刷物を介して受領することで受領したアンテナ部に対応する信号を発生可能な送信部とからなり、
送信部が発信する信号には送信部が受信したアンテナ部の小領域を特定可能な情報を含み、
前記制御手段は送信部から受領する信号によって小領域を特定する請求項１に記載の情報再生装置。
【発明の詳細な説明】
【技術分野】
【０００１】
この発明は、印刷媒体に対応した音声等の情報を提供する印刷物への情報再生装置にかかる。
【背景技術】
【０００２】
印刷物は、広告等の情報を提供する媒体として一般に用いられている。しかしながら、印刷媒体では、紙面に印刷できる文字数の制限が有り、充分な情報を伝達できない。
そこで、印刷物のページをめくり、所定のページに於て印刷しきれない情報を紙面への印刷以外の情報として提供することで、少ないスペースを有効に利用できる。
従来このような方法を用いたものとして『音の出る本』（特開平９−２１８６９５）があった。この従来例は、
【０００３】
『（請求項１）任意の頁の任意の箇所に任意の個数の識別子が付加された本と、前記各識別子に対応付けられた音声の圧縮データを各識別子に対応付けられた記憶領域に保持する半導体メモリと、前記本から各識別子を読取る読取り部と、前記読取られた各識別子に対応付けられた前記半導体集積メモリの記憶領域を検出し、この記憶領域から音声の圧縮データを読出して再生し、音声として出力する音声出力部とを備えたことを特徴とする音の出る本。
（請求項２） 請求項１において、前記音声出力部は、同一の識別子が連続して読取られた場合、この連続回数に対応付けられた異なる記憶領域を検出することを特徴とする音の出る本。
（請求項３） 請求項１又は２において、前記識別子は、バーコードであることを特徴とする音の出る本。
（請求項４） 請求項３において、前記バーコードは、適宜な図形内にその図形の一部として見えるように付加されることを特徴とする音の出る本。
（請求項５） 請求項１乃至４のそれぞれにおいて、前記本は幼児用の絵本であることを特徴とする音の出る絵本。』
【０００４】
にかかる。
以下に従来例を図面に基づき説明する。図８は従来例の構成を表す説明図であり、図９は従来例の本を表す説明図である。従来例では、識別子１１１が付加された本１１０が予め用意されている。又、識別子１１１に対応して音声データが記憶されているＩＣメモリカード１２０が用意され、該ＩＣメモリカード１２０から音声を出力するための音声出力部１３０も用意されている。識別子１１１は、本１１０の所定の場所に印刷されている。この識別子１１１はバーコードが印刷されてなり、バーコードリーダー１３２によって読取可能である。そして識別子１１１は本１１０の複数ページに渡って印刷されており、それぞれのバーコードが異なるコードとなっている。
音声出力部１３０は、バーコードリーダー１３２によって読取ったバーコードに対応してＩＣメモリカード１２０に記憶されている音声データを読出し出力可能である。以下詳細に説明する。音声出力部１３０は、演算処理を行うＣＰＵ１３１と、ＣＰＵ１３１に接続されバーコードを読むための動作がＣＰＵ１３１によって処理されるバーコードリーダー１３２と、音声データが記録されているＩＣメモリカード１２０と音声出力部１３０とを接続するためのコネクタ１３３と、ＩＣメモリカード１２０から読出される音声データをスピーカ１３６から出力可能に合成するための音声合成回路１３４と、音声合成回路１３４によって合成された音声信号をスピーカ１３６から出力可能に増幅する低周波増幅器１３５と、低周波増幅器１３５によって増幅された音声信号を出力するスピーカ１３６とからなる。
【０００５】
そして、利用者がバーコードリーダー１３２を手にし、本１１０に印刷されている所望のバーコードを横切るように移動させてバーコードをバーコードリーダー１３２に読取らせる。すると、バーコードリーダー１３２では、読取ったバーコードの情報をＣＰＵ１３１へ出力する。この時出力されるのは、バーコードリーダー１３２によって読取られたバーコードの明暗の変化に対応し得られる電圧の変化であり、この変化した電圧波形がＣＰＵ１３１に伝達されるのであるが、詳細は一般的に行われているバーコードの処理と同様であるので、単にバーコードを読取るとのみ表現する。
ＣＰＵ１３１では、バーコードに対応して予め定められている音声データの識別番号を生成し、生成した識別番号を音声合成回路１３４へ出力する。
【０００６】
音声合成回路１３４では、ＣＰＵ１３１から受領した識別番号の音声データが格納されているＩＣメモリカード１２０の先頭アドレスとデータ量とを検索する。この情報は予めメモリカード１２０とＩＣメモリカード１２０との間で対応されている。そして、音声合成回路１３４では、先頭アドレスから最終アドレスまでのアドレスを順次コネクタ１３３を介してＩＣメモリカード１２０へ供給すると共に、該アドレスに記憶されている音声データを順次読出す。この時読出される音声データは圧縮されたデータであるので、音声データを読出しながら伸張する。そして、伸張された音声データはスピーカ１３６から出力可能な音声信号として低周波増幅器１３５へ順次出力され、低周波増幅器１３５により増幅された音声信号がスピーカ１３６から出力される。
【０００７】
このように、従来例では、予め音声データと対応されてなるバーコードを、バーコードリーダー１３２に読取らせることで音声を出力させるものであり、利用者が所望の箇所に印刷されたバーコードをスキャンすることで対応した音声データを得る。
そして従来例では、図９に表すように、絵に描かれた状況に対応した英語『Ｄｅｌｉｃｉｏｕｓ！』が記載されている近傍に識別子１１１がバーコードとして印刷されており、該識別子１１１を利用者がスキャンすると、英語『Ｄｅｌｉｃｉｏｕｓ！』に対応した『おいしい！』という日本語の発音がスピーカ１３６からなされる。又別の例としては、絵本に描かれた『林檎』の絵の近傍に識別子１１１がバーコードとして印刷されており、利用者が該バーコードをスキャンすると、『林檎』を表す『アップル』という音声がスピーカーから流れる例が記載されている。
【０００８】
【特許文献１】特開平９−２１８６９５号公報
【発明の開示】
【発明が解決しようとする課題】
【０００９】
上記のような従来例では、本１１０に識別子１１１を印刷することが必須であるため、既に印刷されている本に実施することができない。即ち、従来例のシステムを利用することを前提に本１１０の編集・作成が成されなければ、従来例を実施することはできないという問題点を有した。これは、例えば既に市販されている情報誌等に対しては、適用できないことを意味している。
同様に、従来例では本１１０に識別子１１１を印刷するため、印刷面に掲載できる文字数が減少してしまうという問題点を有した。
更に又、従来例は、音の出る本であり、本１１０自体にスピーカ１３６等の手段を設けなければならず、本１１０の価格自体が高価となってしまう問題点を有した。従って、雑誌などの低価格でより多くの情報を誌面に掲載したい印刷物には適用できない等問題点を有した。
そこでこの発明は、これら問題点に鑑み、従来通りに印刷された印刷物等どの様な印刷物にも実施でき、誌面の情報掲載量を減少させずに誌面上の特定領域に対応した情報を再生可能な情報再生装置の提供を課題とする。
【課題を解決するための手段】
【００１０】
そこでこの発明は、
【００１１】
筐体表面に設けられ印刷物を載置される載置部と、
一方は利用者によって載置部表面に位置され、他方は載置部を小領域に区切った筐体内部に複数設置され、相互に信号送受信可能な小領域特定手段と、
載置部に載置される印刷物のページ表面に印刷された記事が位置する小領域と対応された情報を、印刷物のページ表面位置と対応させて予め記憶される記憶手段と、
記憶手段に記憶されている情報に基づき該情報を再生可能な再生手段と、
記憶手段および小領域特定手段と電気的に接続され、小領域特定手段から入力する信号によって載置部の小領域を特定すると共に、特定した小領域に対応して記憶手段に記憶されている情報を記憶手段から読出し該情報を再生手段に再生させる制御手段とからなり、
相互に信号送受信可能な小領域特定手段は、筐体表面近傍において載置部に載置された印刷物を介し位置された小領域上の一方と該小領域内に設置された他方とが信号送受信することで載置部の小領域を特定する信号を制御手段へ出力可能なことを特徴とする情報再生装置、
【００１２】
を提供する。従ってこの発明によれば、利用者が小領域特定手段の一方を手にし、筐体表面近傍において印刷物の所望箇所を指す。すると、小領域特定手段の一方と他方との間で信号の送受信が行われる。この通信によって受信した信号は制御手段が受領し、該信号に基づいて小領域の特定が行われる。制御手段によって小領域が特定されると、印刷物のページ表面位置が特定されるので、制御手段では更に該小領域の位置に対応して記憶手段に記憶されている、即ち印刷物のページ表面に印刷された記事の位置に対応して記憶手段に記憶されている情報を記憶手段から読出す。そして、制御手段は記憶手段から読み出した情報を再生手段によって再生させる
更にこの発明では、小領域特定手段並びに制御手段を、
【００１３】
前記小領域特定手段は、載置部を小領域に区切った筐体内部に設置され信号出力可能な複数の信号発信手段と、信号発信手段が発信した信号を該信号発信手段が設置されている筐体表面近傍において載置部に載置された印刷物を介して受信可能な信号受信手段とからなり、
前記制御手段は、信号発信手段の設置された位置を識別可能な情報を含む信号を信号発信手段から発信させると共に、信号受信手段から信号入力可能であり、信号受信手段から入力する信号から信号受信手段が信号発信手段の信号を受信した載置部の小領域を特定する、
【００１４】
ように構成する。従って、小領域特定手段は信号発信手段が筐体の小領域内部に設置されて信号出力し、信号受信部が利用者によって載置部に載置された印刷物上の所望位置、即ち所望の小領域の位置を指し示される事となる。これにより小領域特定手段では、該小領域に位置する信号発信手段が発信した信号を信号受信手段が受信する。この受信した信号は制御手段が受領し、該信号発信手段が発信した信号に含まれる該信号発信手段の設置された位置を識別可能な情報によって該信号発信手段が存在する小領域、即ち信号受信手段によって指し示された印刷物上の記事の位置を特定する。
更にこの発明では、小領域特定手段が特定する際に、利用者によって指し示される側の小領域特定手段が送信部であって小領域を特定するものとして、小領域特定手段および制御手段を、
【００１５】
前記小領域特定手段は、載置部を小領域に区切った筐体内部に設置され信号受信可能なアンテナ部と、該アンテナ部が設置されている筐体表面近傍において載置部に載置された印刷物を介して信号を発生可能な送信部とからなり、
前記制御手段は、送信部の発信した信号を受領したアンテナ部から信号入力することで、信号入力したアンテナ部の設置されている小領域を特定する
【００１６】
ように構成する。従って、小領域特定手段は、送信部が利用者によって載置部に載置された印刷物上の所望位置、即ち所望の小領域の位置を指し示される事となる。そして、アンテナ部が筐体の小領域内部に設置されて送信部からの信号受信を待受けることとなる。利用者が送信部によって載置部に載置された印刷物上の所望位置、即ち記事の位置を指し示すと、送信部から送信された信号は該印刷物上の所望位置が所属する小領域の筐体内部に設置されたアンテナ部によって受信される。そして、該アンテナ部が受信した信号を制御手段が受領する。制御部では、制御部と接続される該受信したアンテナ部を特定することで該アンテナ部が設置されている小領域を特定することができる。
同様にこの発明では小領域特定手段がアンテナ部と送信部とからなりアンテナ部を小領域内部に設置した別なものとして、
【００１７】
前記小領域特定手段は、載置部を小領域に区切った筐体内部に設置され微弱電波を発生可能な複数のアンテナ部と、アンテナ部が発生する微弱電波を該アンテナ部が設置されている筐体表面近傍において載置部に載置された印刷物を介して受領することで受領したアンテナ部に対応する信号を発生可能な送信部とからなり、
送信部が発信する信号には送信部が受信したアンテナ部の小領域を特定可能な情報を含み、前記制御手段は送信部から受領する信号によって小領域を特定する、
【００１８】
ように構成する。従って、小領域特定手段は、送信部が利用者によって載置部に載置された印刷物上の所望位置、即ち所望の小領域の位置を指し示される事となる。そして、アンテナ部が筐体の小領域内部に設置されて送信部からの信号受信を待受けることとなる。利用者が送信部によって載置部に載置された印刷物上の所望位置、即ち記事の位置を指し示すと、送信部から送信された信号は該印刷物上の所望位置が所属する小領域の筐体内部に設置されたアンテナ部によって受信される。このとき送信部が送信した信号には該受信したアンテナ部の設置されている小領域を特定する情報を含む。この情報は、例えば送信部に非接触型ＩＣを設け構成し、アンテナ部では発生する微弱電波の周波数を各アンテナ部毎に異ならせて構成し、送信部が該微弱電波を電力として受領すると共に該異なった微弱電波の周波数から該アンテナ部が設置された小領域を特定する。そして、送信部では非接触型ＩＣによって該アンテナ部が位置する小領域の位置を特定可能な情報を含む信号を送信する。
【００１９】
このように送信部から送信された信号は、送信部が指し示された小領域を特定可能な情報を含みアンテナ部によって受信される。該アンテナ部が受信した信号を制御手段が受領する。制御部では、受信した情報から小領域が特定できる。
【発明の効果】
【００２０】
従ってこの発明によれば、通常の印刷物のページ表面に印刷された記事を小領域特定手段が指し示すことにより、印刷物上には何ら特別な印刷等を施すことなく指し示された位置を特定可能となり、該位置に対応した情報を記憶手段に予め記憶させておくことで制御部が該記憶された情報を読出し再生手段に再生させることができるので、どのような印刷物にでも印刷された紙面上の情報以外の膨大な情報を、印刷物上の特定の位置、即ち印刷物上の特定の記事に対応させて提供可能となる。
よってこの発明は、あらゆる本に対して該本の所定ページの所定小領域の情報を音声情報等によって表現が可能となる。
【発明を実施するための最良の形態】
【００２１】
２つ折り可能な筐体からなる。筐体表面は開いた状態で印刷物を載置可能な面積、通常ではＢ４版より稍大きな面積を有しており、見開きＢ４版の大きさの印刷物を載置可能な載置部が形成される。
筐体内部には、処理手段を設ける。処理手段は、小領域特定手段と、ＩＣメモリと、入力部と、情報再生手段である増幅回路部及びスピーカと信号入出力することで各種処理を行う。
【００２２】
小領域特定手段は、筐体表面内部は複数の小領域に分割したそれぞれに信号発信手段である信号送信部と、信号送信部と対向して位置されることで信号送信部から発信される信号を受信可能な信号受信手段である信号受信部とからなる。送信部はそれぞれ自身が設置されている小領域を特定可能な情報を制御手段の指示に従い発信する。一方、信号受信部は、利用者によって移動可能にケーブルによって制御手段と電気的に接続されており、利用者が載置部に載置された印刷物の所望箇所を指し示すためのものである。
このように形成する信号送信部と信号受信部とは所定距離に近付いた時に信号受信部が信号送信部からの信号を受信可能に構成されており、信号受信部の受信した信号が制御手段に入力される。
【００２３】
制御手段は、上記各小領域特定手段の送信部に対し、それぞれの送信部が所属する小領域を特定可能な情報を送信させる。従って、それぞれの信号送信部から送信される情報を信号受信部が受信すると、その受信信号によって送信した信号送信部の所属する小領域を特定できる。この小領域を特定させる信号は予め制御手段（ＲＯＭなど）に記憶されており対応する小領域特定手段の信号送信部から送信させる。
【００２４】
ＩＣメモリは、小領域特定手段によって特定される小領域と紐付けて再生情報を記録されている。この再生情報は音声情報であり、小領域を特定することで再生させる音声の情報も特定される。従って、ＩＣメモリには、予め載置部に載置される情報雑誌等の印刷物の記事が対応する各小領域に紐付けて、該対応する記事を小領域特定手段によって特定されたときに再生出力する音声情報が記憶されている。即ち、例えば、印刷物上の商品ＰＲ記事が対応する小領域では、該小領域に対応させて（紐付けて）該商品のコマーシャルソングとＰＲ音声を予め記憶しておく等する。そして、該情報の記憶は、記憶されている情報の終始が特定されることで一連に出力可能である。
【００２５】
情報再生手段は、アナログ音声増幅回路、及び、該回路と接続されるスピーカからなる。アナログ音声増幅回路は制御手段と接続され、制御手段から入力するデジタル音声信号をアナログ音声信号に変換し、更にスピーカから出力可能な信号へと増幅してスピーカへ出力する。スピーカでは、このアナログ音声信号が再生されて音声あるいは音楽等の情報として利用者に聞かれることとなる。
このように構成する情報再生装置では、利用者が載置部に載置された情報雑誌等の印刷物にある所望の記事部分を小領域特定手段の信号受信部によってタッチすることで指示される。すると、信号受信部では、該タッチされた記事部分が所属する小領域内部に設置された信号送信部から送信されている信号を受信し、制御手段へ出力する。
【００２６】
制御手段では、信号受信部から受領した信号によって小領域を特定し、該小領域に紐付けてＩＣメモリに記憶されている音声情報を特定する。そして、制御手段は、読出した該情報を情報再生手段へ順次出力する。この時特定される情報は、ＩＣメモリ上に記憶されている情報の終始を特定可能であり、最初の部分から最終部分までを順次再生する。情報再生手段ではアナログ音声増幅回路が順次送られてくるデジタル音声信号をアナログ信号に変換すると共に変換したアナログ信号を増幅し、スピーカへ出力する。
【００２７】
従って、最終的にスピーカからは小領域特定手段によって特定された小領域に紐付けられて記憶されている音声情報が順次出力されることとなる。
【実施例１】
【００２８】
以下、この発明の実施例を図面に基づき説明する。図１はこの発明の実施例１を表し、図２は図１の詳細を表す説明図であり（ａ）は載置部の説明図、（ｂ）は小領域の説明図であり、図３はこの発明の実施例１の制御手段を表す説明図である。
【００２９】
１はこの発明にかかる情報再生装置である。情報再生装置１は、筐体１１にその外形を形成され、筐体１１は、図１に表す状態から横方向に二つ折り可能であり、図１では開いた状態を表している。表面に載置部１２を設ける。載置部１２は、印刷物である本ＢＫを見開いた状態で載置可能である。この実施例では載置部１２は、この実施例では見開きＢ４版の大きさの本ＢＫを載置可能な面積を成し筐体１１内方へ幾分凹状となるように設け、４方の角には載置部１２に載置した本ＢＫの取外しを容易にする切欠部１２ａを設ける。
更に載置部１２は、図２（ｂ）に表すように、載置部１２を横方向にＡ〜Ｊ、縦方向に１〜６というような小領域１２ｂに分けて構成する。尚、この小領域１２ｂの分割は、作図の都合上横方向にＡ〜Ｊ、縦方向に１〜６と６０個の小領域１２ｂに分割したが、実際には更に複数に分割されており、この分割数は適宜選択すれば足りる。
【００３０】
筐体１１の内部には、制御手段である制御部１３を設ける。又、筐体１１内部には、筐体１１外部へスライドして飛出し可能に操作部１４を設ける。操作部１４は制御部１３と電気的に接続される。操作部１４の筐体１１外部への飛出しは、所定の飛出しボタン（図示せず）を押すことで、ばね力により図１に表すように操作部１４の操作面を外部に飛び出させる。そして、操作部１４を再び筐体１１内部へ押圧することで、飛出しボタン（図示せず）の押圧による飛出しが可能となるように、筐体内部に設ける係止部（図示せず）と係止し筐体１１内部へ収納される。
【００３１】
１５はタッチペンであり、１６は信号送信部である。タッチペン１５は信号受信部であり、ケーブル１５ａを介して制御部１３と接続されている。信号送信部１６は、筐体１１内部の各小領域１２ｂ毎にそれぞれ設けられている。従って、この実施例では６０個の信号送信部１６が筐体１１内に設けられており、各信号送信部１６それぞれが各小領域１２ｂ内に１個ずつ存在するように割当てられている。信号送信部１６は制御部１３と電気的に接続されており、制御部１３から送られる信号を微弱電波として出力可能である。この時出力される微弱電波は、各信号送信部１６が設置されている小領域１２ｂを特定可能な情報が含まれている。タッチペン１５は、内部に信号送信部１６から発信されている微弱電波を小領域１２ｂ近傍において受信可能な受信部（図示せず）を備えており、使用者によって操作される。載置部１２上で所望の小領域１２ｂ上にタッチされると、該小領域１２ｂ内部に設置されて信号送信部１６からの微弱電波を受信可能である。この時のタッチは、載置部１２上に載置された本ＢＫを介して行われ、完全に本ＢＫの表面に触れなくともよく、使用者が載置部１２の上方から所望の小領域１２ｂ上にごく自然と近づけることで所望の小領域１２ｂが該領域である旨を検知できるように該小領域１２ｂ内部の信号送信部１６からの微弱電波を受信する。このように、タッチペン１５を載置部１２上の所望の小領域１２ｂにタッチさせることで、該領域からの（該領域内に有る信号送信部１６からの）微弱電波を受信する。このようにタッチペン１５と信号送信部１６とが小領域特定手段を構成する。
【００３２】
１７は、ＩＣメモリである。ＩＣメモリ１７は記憶手段であり、制御部１３と電気的に接続されている。この実施例では、ＩＣメモリ１７は、所定の形状をしたＲＡＭであり、筐体１１に設けるＩＣメモリ１７用のスロットに挿脱可能である。尚、ＩＣメモリ１７はこの実施例では専用の形状をしたＩＣメモリ１７からなるが、汎用性を持たせる場合には、一般的に用いられているＭＣカードやコンパクトフラッシュ（登録商標）カード等のＩＣメモリカードを用いてもよい。また更に、この実施例ではＩＣメモリ１７を書換可能なＲＡＭから構成したが書換えのできないＲＯＭであっても良い。ＩＣメモリ１７には、載置された本ＢＫのページと各小領域１２ｂとに紐付けされて小領域１２ｂ毎にデジタル化された音声情報が記憶されている。即ち、載置される本ＢＫの所定ページの所定箇所に記載されている記事に対応させて、即ち載置された本ＢＫの該記事と対向する載置部１２の小領域１２ｂと紐付けて、該記事に関する情報等を音声情報として記憶されている。そして、本ＢＫのページは使用者が行う操作部１４の操作によって特定され、小領域は前記した小領域特定手段の一方であるタッチペン１５によって信号送信部１６から受領した微弱電波にある小領域１２ｂを特定する情報によって特定され、特定されたページと小領域によって載置された本ＢＫの何ページの何処に記載されている記事に対応した音声情報かが特定されることとなる。
【００３３】
操作部１４には、スピーカ１８を備え、スピーカ１８から音声を発生させるアンプ部１９は制御部１３が備えられる基板（図示せず）に設けられており、該アンプ部１９から送られる音声信号を再生する。そして操作部１４にはスピーカ１８から出力される音量を調整可能な音量調整つまみ（図示せず）を備え、音量調節が可能である。更に、操作部１４には液晶パネルからなる表示部２０を備える。又、操作部１４にはページ決定ダイヤル２１を設ける。ページ決定ダイヤル２１は、載置部１２に載置された本ＢＫのページを決定するダイヤルであり、表示部１４に表示されるページがダイヤルを時計方向に回転させることで繰り上がり、反時計回りへ回転させることで繰り下がり、所望のページとなったところで押圧することでページを決定可能であり、決定されたページの情報は制御部１３へ出力される。この実施例では、ＩＣメモリ１７は本ＢＫ毎に用意されており、ＩＣメモリ１７を筐体１１に装着することで、ＩＣメモリ１７に予め記憶されている本ＢＫの名称が制御部１３によって読出され、表示部２０に表示される。使用者はこの表示により、載置部１２に載置した本ＢＫとＩＣメモリ１７とが対応しているか否かを確認可能である。そして前記のようにページを決定することで、制御部１３が該ページに対応付けられて記憶されている各小領域１２ｂに対応した情報の読み出しが可能となる。尚、ＩＣメモリ１７に複数の本ＢＫの情報を記憶させる場合には、ＩＣメモリ１７には、本ＢＫを特定する情報と該本ＢＫのページを特定する情報とが別途記憶され、該本ＢＫとページとをページ決定ダイヤル２１によって決定するようにしても良い。この場合には、最初に該ダイヤル２１によって本を選択し、次いで選択された本ＢＫのページを選択するように構成すれば足りる。
【００３４】
アンプ部１９は、制御部１３によってＩＣメモリ１７から読出されたデジタル化されている音声情報を受領し、該デジタル化された音声情報をアナログ音声信号に変換すると共に増幅し該音声信号をスピーカ１８へ出力し、スピーカ１８から音声を出力させる。
【００３５】
制御部１３は、前記した操作部１４、小領域特定手段であるタッチペン１５及び信号送信部１６、ＩＣメモリ１７、アンプ部１９と電気的に接続される。そして制御部１３では、電源スイッチ（図示せず）が入れられると各信号送信部１６に対し、信号送信部１６それぞれが属する小領域１２ｂを特定可能な微弱電波を送信させる。以下制御部１３は、情報再生装置１の作用と共に説明する。信号送信部１６から出力する微弱電波には、例えば、図２（ｂ）に表すＨ−４の小領域１２ｂに属する信号送信部１６からは該小領域１２ｂであるＨ−４を特定できる情報が含まれている。この情報は、デジタル化された情報中に含んでも良く、又、受信するタッチペンが受信した情報を変換することで小領域１２ｂであるＨ−４を特定できる情報を作り出せる情報であっても良い。
【００３６】
利用者は所望の本ＢＫに対応したＩＣメモリ１７を、筐体１１の所定箇所、即ちＩＣメモリ１７用のコネクタ（図示せず）を設けてあるカードスロット（図示せず）へ挿入する。すると制御部１３では該カードスロット（図示せず）へカードが差込まれたことを認識すると共に、ＩＣメモリ１７に記憶されている情報に関するインデックス情報を読込みメモリ（図示せず）に格納しておく。このインデックス情報は、ＩＣメモリ１７に記憶されている情報のうち、本ＢＫの各ページの各小領域１２ｂの情報がＩＣメモリ１７のどの位置（アドレス）に記憶されているかの情報である。従って、制御部１３がページと小領域１２ｂの位置に関する情報を得れば、該ページの該位置に対応して（紐付けて）記憶されている音声情報を特定することが可能となり該音声情報をＩＣメモリ１７から順次読出すことが可能となる。そして、以後制御部１３がページ及び小領域１２ｂを特定する情報を入力した際に、該情報によって特定されるページ及び小領域１２ｂに紐付けられた音声情報をＩＣメモリ１７から順次読出すことが可能となる。
利用者が所望の本ＢＫを載置部１２へ載置すると共に所望のページを開き、操作部１４のページ決定ダイヤル２１によって該所望ページを決定すると、該決定されたページの信号が制御部１３へ出力される。例えば、『１８ページ』と指定すると、指定されたページが１８ページである旨が制御部１３に送られる。制御部１３では、１８ページである旨の信号を受領し、メモリ（図示せず）に格納し、以後ページ決定ダイヤル２１によってページを指定する操作が成されるまでは、小領域１２ｂが特定された時には１８ページの小領域１２ｂに対応して記憶されている音声情報を読出す。
【００３７】
次いで利用者がタッチペン１５を所望の位置へ移動させ、載置部１２に載置されている本ＢＫの所望位置をタッチする。該位置が例えば小領域１２ｂのＨ−４であった場合、利用者は該位置が小領域１２ｂのＨ−４であることは何ら認識されないが、タッチペン１５では、制御部１３の制御により小領域１２ｂのＨ−４に設置された信号送信部１６から送信される信号を受領する。タッチペン１５では、該位置が小領域１２ｂのＨ−４である旨を認識させる該受領した情報を制御部１３へ出力する。
【００３８】
制御部１３では、タッチペン１５から利用者により指示された位置が小領域１２ｂのＨ−４である旨を認識して該位置に対応するＩＣメモリ１７に記憶された音声情報を、メモリ（図示せず）に格納してあるインデックス情報から読出し、該インデックス情報によって特定される１８ページのＨ−４の小領域１２ｂに対応して記憶されている音声情報を、順次読出す。そして、読出したデジタル音声情報は、順次アンプ部１９へ出力する。
【００３９】
アンプ部１９では、制御部１３から入力するデジタル音声情報をスピーカ１８から出力可能なアナログ音声信号に変換すると共に適宜増幅しスピーカ１８へ出力する。
スピーカ１８では、該入力する音声信号を出力する。
【実施例２】
【００４０】
以下、実施例２を説明する。
実施例２における情報再生装置１の構成は、実施例１と同様である。
実施例２では、利用者がタッチペン１５を本ＢＫの所望位置に載置した際にタッチペン１５と信号送信部１６とによって特定する小領域１２ｂの特定方法が実施例１とは異なる。
以下、実施例１と異なる部分のみ説明する。ＩＣメモリ１７を装着しページ決定ダイヤル２１によってページの設定が成されるまでは実施例１と同様の手順で行われる。
【００４１】
実施例２においては、タッチペン１５が信号送信部からなり、小領域１２ｂ内部にはアンテナ２２をそれぞれの小領域１２ｂ内に設置する。これらタッチペン１５及びアンテナ２２が小領域特定手段を構成する。
タッチペン１５は制御部１３と接続され、制御部１３によってアンテナ２２が載置部１２表面近傍に於て載置部１２に載置された本ＢＫを介して受信可能な微弱電波を出力される。
【００４２】
アンテナ２２は、各小領域１２ｂ毎に設置され、それぞれが制御部１３と接続される。
制御部１３は、実施例１と同様であるが、信号送信部１６ではなく各アンテナ２２と接続され、アンテナ２２から信号入力可能である。そして制御部１３では、アンテナ２２からの信号の入力を待受ける。
【００４３】
実施例１同様、利用者によりタッチペン１５が載置部１２に載置された所望位置を差し示すと、タッチペン１５から出力されている微弱電波が該指し示した位置に相当する小領域１２ｂ内に設置したアンテナ２２が該微弱電波を受信し、該受信した電波を制御部１３へ出力する。制御部１３では、該微弱電波を受信したアンテナ２２の設置されている小領域１２ｂをマップ情報として予めメモリ（図示せず）に記憶されており、該アンテナ２２が特定されることで特定されたアンテナ２２の設置されている小領域１２ｂをメモリ（図示せず）に記憶されたマップ情報から読出し特定する。
【００４４】
そして、制御部１３では、メモリ（図示せず）に記憶したマップ情報から読出した小領域１２ｂの位置とページ決定ダイヤル２１によって設定されメモリ（図示せず）に記憶されているページの情報を基に実施例１同様ＩＣメモリ１７からデジタル音声情報を読出し、実施例１同様に再生する。
従って実施例２では、タッチペン１５から出力される微弱電波をどのアンテナ２２が受信したかを制御部１３が検知して小領域１２ｂを特定する例である。
尚、実施例２では、複数のアンテナ２２がタッチペン１５の発生する微弱電波を受信する場合が想定されるので、予め制御部１３あるいは制御部１３とアンテナ２２との間に、最も受信感度の良かったアンテナ２２を選択するノイズキャンセラーのような装置を用いると確度の良い小領域１２ｂの確定が可能となる。
【実施例３】
【００４５】
以下に実施例３を図４に基づき説明する。
実施例３では、図４に表すように、タッチペン１５は制御部１３とは電気的に接続されず、タッチペン１５内部には非接触型のＩＣチップ（図示せず）が内蔵されてなる。
一方、アンテナ２２は、タッチペン１５に内蔵されている非接触型ＩＣチップ（図示せず）へ電力供給可能であると共に、アンテナ２２が所属する小領域１２ｂを特定可能な情報を送信可能である。更にアンテナ２２は、ＩＣチップ（図示せず）を内蔵するタッチペン１５が発信する微弱電波を受信可能であり受信した信号は制御部１３へ出力される。
このように構成する実施例３では、制御部１３により各アンテナ２２から信号を発信させるように制御する。この信号は、アンテナ２２の対向位置にタッチペン１５が位置されたときにタッチペン１５によって受信されて電力として利用される電磁波である。従って、各アンテナ２２はタッチペン１５からの信号を受信可能であるのに加え、タッチペン１５を作動させるための電力となる電磁波を制御手段１３の制御により発信可能に構成されるので、該電力をタッチペン１５が受信して該電力によりアンテナ２２が対向位置となったタッチペン１５から発信される信号を受信できる。
【００４６】
そして実施例１同様に、利用者がタッチペン１５を載置部１２に載置された所望位置へ移動させ差し示すと、タッチペン１５では、所望位置に対向した載置部１２の小領域１２ｂ内に設置されたアンテナ２２からタッチペン１５が電力として利用可能な電磁波を発信するので、発信する電波を受信して電力として作動し、受信した電波に含まれる位置を特定可能な情報を特定して該情報に基づき、該小領域１２ｂを特定可能な情報を含む微弱電波を生成して発信する。
アンテナ２２では、該タッチペン１５から発信された微弱電波情報を受領する。そしてアンテナ２２が受領した情報は制御部１３へ受領される。
上記のような非接触型ＩＣチップ（図示せず）を内蔵したタッチペン１５とアンテナ２２との情報の授受は、非接触型ＩＣを用いたＩＣタグやＩＣカードで一般的に行われている技術・手法を用いることができるので詳述は省略する。
【００４７】
以下に、実施例３の詳細を図７に基づき説明する。図７は実施例３の制御の詳細を表す説明図であり、制御部１３はＣＰＵやメモリ等を含む制御部本体１３ａと、制御部本体１３ａと接続されるマトリクス電子回路１３ｂと、マトリクス電子回路１３ｂと接続される増幅回路１３ｃとからなる。制御部本体１３ａは、マトリクス電子回路１３ｂから受領する信号によってタッチペン１５が対向位置にある小領域１２ｂを特定可能である。また、制御部本体１３ａは、マトリクス電子回路１３ｂに対して、実施例１に記載したとおり、利用者によって操作された操作部１４から受領する雑誌等の印刷物を特定する信号および該印刷物のページを特定する信号を受領可能であり、該受領した信号から印刷物の特定されたページによって利用される載置部１２の小領域１２ｂ（印刷物によっては載置面１２に施された小領域１２ｂ全体を利用せず、特定の位置のみを利用すれば足りる場合もある）を特定可能であり、該特定した小領域１２ｂから電力信号を出力するようにマトリクス電子回路１３ｂへ印刷物および小領域を特定可能な指示信号を出力可能である。
マトリクス電子回路１３ｂは、接続される制御部本体１３ａから受領する指示信号を受領し一時的に記憶可能である。従って、マトリクス電子回路１３ｂには該記憶を行うためのバッファのような記憶部（図示せず）を設ける。そして、マトリクス電子回路１３ｂでは該指示信号の指示に従い、特定された小領域１２ｂから電力信号を出力可能であり、且つタッチペン１５から出力される信号を受領可能である。小領域１２ｂからの電力信号の出力およびタッチペン１５からの信号の受信はアンテナ２２によって行われる。アンテナ２２は各小領域１２ｂの中央内部に設置されており、マトリクス電子回路１３ｂは制御部本体１３ａによって特定された小領域１２ｂのアンテナ２２から電力信号を出力するように制御する。また、更にマトリクス電子回路１３ｂでは、アンテナ２２が受領した信号を増幅回路１３ｃへ出力可能であると共に、増幅回路１３ｃが出力する増幅処理された信号を入力可能であり、該増幅された（タッチペン１５が対向されてアンテナ２２が受信し増幅された）信号と先に制御部本体１３ａから入力して一時的に記憶しておいた印刷物および小領域１２ｂを特定する信号とを制御部本体１３ａへ出力する。従ってマトリクス電子回路１３ｂでは、増幅回路１３ｃから入力する信号は、タッチペン１５からの信号を受領したアンテナ２２が、どの小領域１２ｂからの受領であるかを特定可能であり、該小領域１２ｂを特定可能な信号である。
増幅回路１３ｃでは、アンテナ２２が受信した信号を入力し、該信号を復調すると共に増幅を行いマトリクス電子回路１３ｂへ出力する。
そして、上記のようにアンテナ２２によって受信された情報に含まれる小領域１２ｂを特定する情報から制御部１３は小領域１２ｂを特定し、該特定した小領域１２ｂに対応してＩＣメモリ１７に記憶されている音声情報を実施例１同様に再生する。
【００４８】
尚、上記各実施例では、ＩＣメモリ１７に記憶する小領域１２ｂに対応した（紐付けられた）情報はデジタル化された音声情報としたが、例えば、デジタル化された音声情報出はなくデジタル化した画像情報や動画情報でも良く、音声情報等の複数からなっても良い。そして例えば画像情報の場合には、表示部２０あるいは別途用意する制御部１３と接続するディスプレイ等に表示させても良い。この場合には、パソコン等に一般的に利用されているグラフィックス技術を用いた別途画像を表示するための画像処理部を設け、制御部１３の制御によって適宜表示部２０あるいは別途用意するディスプレイ等に表示させれば足りる。動画を表示させる場合も同様である。
【実施例４】
【００４９】
以下に実施例４を図５及び図６に基づき説明する。
実施例１乃至実施例３は、ＩＣメモリ１７に本ＢＫに関する情報が既に記憶されている状態であったが、実施例４は上記各実施例がＩＣメモリ１７にインターネットを介して本ＢＫに関する情報をコンピュータＰＣが受領し、該コンピュータＰＣと接続させた制御部１３を介してＩＣメモリ１７に記憶させる例である。
【００５０】
実施例４では、ノート型やデスクトップ型の一般家庭で使用されているようなコンピュータＰＣを用いる。コンピュータＰＣはインターネットＮＥＴと接続可能に構成されてる。インターネットＮＥＴとの接続は、ＡＤＳＬ等ブロードバンド経由で接続させるのが望ましい。一方、インターネットＮＥＴ上には、種々の本ＢＫに対応した音声情報を種々の本ＢＫ毎に記憶させたサーバＳＶＲを置く。サーバＳＶＲは、Ｗｅｂサーバ（図示せず）とデータサーバ（図示せず）とからなり、データサーバには前記種々の本ＢＫに対応させて（紐付けて）各ページ毎の音声情報が記憶されている。又、Ｗｅｂサーバ（図示せず）は、一般的なＷｅｂサーバ同様インターネット上でＷｅｂページの管理を行うサーバであり、Ｗｅｂサーバ（図示せず）にインターネットを通じてアクセスし、Ｗｅｂサーバ（図示せず）に表示された書籍一覧から所望の本ＢＫを選択して該本ＢＫのＷｅｂサーバ（図示せず）上のＷｅｂページへ移動し、該ページにある該本ＢＫの情報をコンピュータＰＣへダウンロード可能である。
【００５１】
そして、コンピュータＰＣへダウンロードした情報は、コンピュータＰＣ上のハードディスク等の記憶媒体に記憶させておく。
【００５２】
一方、情報再生装置１には、図６に表すように、制御部１３に情報通信手段２３を設ける。
情報通信手段２３は、一方で制御部１３に接続され、他方ではコンピュータＰＣとネットワークケーブル等を介して接続され、ＴＣＰ／ＩＰプロトコル等の通信制御が可能であり、コンピュータＰＣと情報交換が可能である。この接続は、一般的に行われているネットワーク接続であり、情報通信手段２３はこれらを満足させる機能を有して構成されている。
【００５３】
このように構成される情報通信手段２３では、コンピュータＰＣと情報再生装置１とが接続されると、制御部１３はコンピュータＰＣに対して自身が単なる記憶媒体のように見なされるようにコンピュータＰＣへ情報通信手段２３を介して情報を送る。情報通信手段２３では、制御部１３の指示通り情報再生装置１が単なる記憶媒体として見なされる情報を所定のプロトコルに則って送信する。記憶媒体としての機能は、ＩＣメモリ１７のメモリ容量だけ記憶可能であり、コンピュータＰＣからは該容量だけ記憶可能な記憶媒体として認識される。
【００５４】
そして、利用者は、上記のように接続されているコンピュータＰＣから記憶媒体として見える情報再生装置１を選択し、情報再生装置１へ所望の本ＢＫの音声情報を送信する。この時送信する所望の本ＢＫの音声情報は、前記したインターネットＮＥＴを経由してインターネットＮＥＴ上のサーバＳＶＲから予めダウンロードされている。
【００５５】
制御部１３では、コンピュータＰＣから送信されてくる本ＢＫの情報を情報通信手段２３を経て受領し、該情報をＩＣメモリ１７へ順次記憶させる。この時記憶される情報は、本ＢＫの各ページ毎に各小領域１２ｂに対応して（紐付けて）与えられている音声情報である。
そして、上記実施例１乃至実施例３の如く、ＩＣメモリ１７に記憶されている本ＢＫの情報に基づいて、該本ＢＫが載置部１２上に載置され、所定ページの選択がページ決定ダイヤル２１によって行われ、載置部１２に載置された本ＢＫの該ページが開かれて該ページ上の所定位置をタッチペン１５によって指示されると、該指示によって特定される所定の小領域１２ｂが確定されて制御部１３の制御によりＩＣメモリ１７上の該小領域に対応して記憶されている音声情報が読出されアンプ部１９によって増幅されてスピーカ１８から音声が流れるに至る。
【産業上の利用可能性】
【００５６】
従ってこの発明は、あらゆる本に対して該本の所定ページの所定小領域の情報を音声情報等によって表現できるので、あらゆる本に対して実施可能である。特に、情報誌に於ては、印刷面上にどれだけの情報が記載できるかが該情報誌に求められる１つの機能であるので、情報誌に対して実施した場合には、紙面上の活字以外に音声や画像等の莫大なデータを表現できるので特に有効である。
【図面の簡単な説明】
【００５７】
【図１】この発明の実施例１を表す説明図
【図２】図１の詳細を表す説明図であり、（ａ）載置部の説明図、（ｂ）小領域の説明図
【図３】この発明の実施例１の制御を表す説明図
【図４】この発明の実施例３の制御を表す説明図
【図５】この発明の実施例４を表す説明図
【図６】この発明の実施例４の制御を表す説明図
【図７】この発明の実施例３の詳細を表す説明図
【図８】従来例の構成を表す説明図
【図９】従来例を表す説明図
【符号の説明】
【００５８】
１    情報再生装置
１１  筐体
１２  載置部
１２ａ  切欠部
１２ｂ  小領域
１３  制御部
１４  操作部
１５  タッチペン
１６  信号送信部
１７  ＩＣメモリ
１８  スピーカ
１９  アンプ部
２０  表示部
２１  ページ決定ダイヤル
２２  アンテナ
【図１】
2008009847.tif 000003
【図２】
2008009847.tif 000004
【図３】
2008009847.tif 000005
【図４】
2008009847.tif 000006
【図５】
2008009847.tif 000007
【図６】
2008009847.tif 000008
【図７】
2008009847.tif 000009
【図８】
2008009847.tif 000010
【図９】
2008009847.tif 000011